(57)【要約】【課題】加速度や荷重が加わった際に防振装置を構成する緩衝体が大きく変形し、緩衝体が損傷したり、油、薬品、金属の飛散、熱の印加により劣化が発生するなどの課題があった。【解決手段】インバータや制御ユニットを収納するインバータハウジングと、このインバータハウジングを車両に取付けるための車両取付部と、前記インバータハウジングおよび前記車両取付部間に介在して配置された防振装置とを備えた車載インバータ用防振装置であって、前記防振装置は、弾性変形可能な緩衝体を有し、前記緩衝体の上下に設けられ、前記緩衝体の変形を抑制する保護部材を備えたものである。【選択図】図１
2015227128.tif 000002
【特許請求の範囲】
【請求項１】
インバータや制御ユニットを収納するインバータハウジングと、このインバータハウジングを車両に取付けるための車両取付部と、前記インバータハウジングおよび前記車両取付部間に介在して配置された防振装置とを備えた車載インバータ用防振装置であって、
前記防振装置は、弾性変形可能な緩衝体を有し、前記緩衝体の上下に設けられ、前記緩衝体の変形を抑制する保護部材を備えたことを特徴とする防振装置。
【請求項２】
請求項１に記載の車載インバータ用防振装置において、
前記緩衝体は円筒状に形成されたことを特徴とする車載インバータ用防振装置。
【請求項３】
請求項２に記載の車載インバータ用防振装置において、
前記緩衝体の上下外周に突部を設け、この突部間にインバータハウジングを嵌合させるとともに、前記保護部材を軸方向に突出する皿形状に形成したことを特徴とする車載インバータ用防振装置。
【請求項４】
請求項１または２に記載の車載インバータ用防振装置において、
前記防振装置を、円筒状のインナーカラーおよびアウターカラーとこれらインナーカラーおよびアウターカラー間に充填されたゴム、スポンジまたは金属から成る緩衝体とから構成したことを特徴とする車載インバータ用防振装置。
【請求項５】
請求項１に記載の車載インバータ用防振装置において、
前記防振装置を前記車両取付部に固定する固定ボルトとしてつば部を有するものとし、前記防振装置に対向する前記車両取付部および前記固定ボルトのつば部により前記防振装置を挟持させ、前記保護部材の作用を行わせるようにしたことを特徴とする車載インバータ用防振装置。
【発明の詳細な説明】
【技術分野】
【０００１】
この発明は、ハイブリッド式電気自動車等に用いられる車載インバータ用防振装置の構造に関するものである。
【背景技術】
【０００２】
従来のハイブリッド式電気自動車等においては、電動機を動力とする駆動装置と、電動機を制御するためのインバータと、インバータと駆動装置を統括制御する制御装置とからなる制御ユニット部を搭載した電動式駆動装置が知られている。このような制御ユニット部を車両のエンジンルーム内に搭載する場合、車両走行時の振動やエンジン振動を受けることから、搭載された電子部品の耐震性が懸念されるため、防振装置を介して制御ユニット部を車体に固定することが提案されている。（特許文献１参照）
【先行技術文献】
【特許文献】
【０００３】
【特許文献１】特開２００４−２１５３５５号公報
【発明の概要】
【発明が解決しようとする課題】
【０００４】
しかしながら、特許文献１に示されるような従来の防振装置においては、防振装置を構成するゴム等からなる弾性体の緩衝部材が周辺部材より剛性が低いため、加速度や荷重が加わった際に大きく変形することになり、この結果、防振装置の損傷や防振装置のインバータハウジングからの脱落、インバータハウジングが周辺部品と衝突し、あるいは油、薬品、金属の飛散、熱の印加により弾性体の特性変化若しくは劣化が発生するなどの課題があった。
【０００５】
この発明は、かかる問題点を解決するためになされたもので、インバータに加速度や荷重を加えた際に防振装置の防振材が大きく変位せず、かつ、油、薬品、金属の飛散、熱の印加により防振材の特性変化若しくは劣化を抑制する構造の防振装置を提供するものである。
【課題を解決するための手段】
【０００６】
この発明に係る車載インバータ用防振装置においては、インバータや制御ユニットを収納するインバータハウジングと、このインバータハウジングを車両に取付けるための車両取付部と、前記インバータハウジングおよび前記車両取付部間に介在して配置された防振装置とを備えた車載インバータ用防振装置であって、前記防振装置は、弾性変形可能な緩衝体を有し、前記緩衝体の上下に設けられ、前記緩衝体の変形を抑制する保護部材を備えたことを特徴とするものである。
【発明の効果】
【０００７】
この発明によれば、防振装置の過剰な変位を抑制させることができ、防振装置の損傷およびインバータの周辺部品への衝突を防ぐことができ、かつ、油、薬品、金属の飛散、熱の印加により緩衝体の特性変化若しくは劣化を抑制させることができる。
【図面の簡単な説明】
【０００８】
【図１】この発明の実施の形態１である車載インバータ用防振装置を示す展開図である。
【図２】図１における車載インバータ用防振装置の組み立て状態を示す断面図である。
【図３】この発明の実施の形態２である車載インバータ用防振装置を示す断面図である。
【図４】この発明の実施の形態３である車載インバータ用防振装置を示す断面図である。
【図５】この発明の実施の形態４である車載インバータ用防振装置を示す断面図である。
【発明を実施するための形態】
【０００９】
実施の形態１
以下、この発明を実施の形態である図１〜図５を参照して説明する。
なお、各図中、同一符号は、同一あるいは相当部分を示すものとする。
【００１０】
図１は、この発明の実施の形態１における車載インバータ用防振装置を示す展開図、図２は、図１の車載インバータ用防振装置における組み立て後の状態を示す断面図である。図において、インバータや制御ユニットを収納するインバータハウジング１の取付け穴１ａに防振装置２が取り付けられ、この防振装置２を介してインバータハウジング１は、車両取付部３に固定ボルト４によってねじ止めされている。ここで、防振装置２は、インバータハウジング１の取付け穴１ａに結合されるアウターカラー２ａと、固定ボルト４が挿通されるインナーカラー２ｂと、アウターカラー２ａおよびインナーカラー２ｂ間に設けられた弾性変形可能な緩衝体２ｃとから構成されており、金型にアウターカラー２ａ、インナーカラー２ｂを配置した後、緩衝体２ｃとなるゴム、スポンジ等の樹脂を充填することにより製造される。また、防振装置２の上下には、保護カバーなどの保護部材５が設けられ、車両取付部３に固定ボルト４によって一体にねじ止めされている。
【００１１】
このように防振装置２の上下に保護部材５を設けることにより、インバータハウジング１に大きな加速度や荷重がかかった際でも保護部材５がインバータハウジング１と車両の相対変位を抑制することが可能となり、緩衝体２ｃの損傷や防振装置２のインバータハウジング１からの脱落を防止することができる。また、保護部材５により油、薬品、金属、放射熱等から防振装置２を保護することも可能となる。
【００１２】
実施の形態２．
図３は、この発明の実施の形態２における車載インバータ用防振装置を示す断面図である。
実施の形態２においては、実施の形態１に対してアウターカラー２ａを削除したもので、図３に示すように、円筒状の緩衝体２ｃの上下外周に突部を設け、この突部間にインバータハウジング１を嵌合させるとともに、保護部材５を軸方向に突出する皿形状とすることにより、大きな加速度や荷重がかかった際、保護部材５をインバータハウジング１に衝合させることができ、この結果、実施の形態１と同様に緩衝体２ｃの損傷や保護機能を担保することができる。
【００１３】
実施の形態３．
図４は、この発明の実施の形態３における車載インバータ用防振装置を示す断面図である。
実施の形態３においては、実施の形態１に対してインナーカラー２ｂを保護部材５の代用としたもので、図４に示すように、筒状のインナーカラー２ｂの上下端を軸方向と直角に延長させてつば部２ｄを設け、固定ボルト４を車両取付部３に結合することにより、つば部２ｄに緩衝体２ｃの保護作用を行わせることができ、実施の形態１と同様の作用効果を期待することができる。また、保護部材５を省略することができる利点がある。
【００１４】
実施の形態４．
図５は、この発明の実施の形態３における車載インバータ用防振装置を示す断面図である。
実施の形態４においては、図５に示すように、固定ボルト４の外周につば部４ａを形成するとともに車両取付部３の大きさを防振装置２に対向させるように構成したもので、この
ように構成することによりつば部４ａおよび車両取付部３によって防振装置２を挟持させ、保護部材としての作用を行わせることができ、実施の形態１と同様の作用効果を期待することができる。また、別部材である保護部材５を省略することができる利点がある。
以上のように、この発明による車載インバータ用防振装置においては、保護部材により緩衝体が大きく変形することを防止することが可能となり、緩衝体自身の損傷、防振装置のインバータハウジングからの脱落、インバータの周辺部品との衝突、また油、薬品、金属、放射熱等から防振装置を保護することができる。
【００１５】
なお、上述の実施形態におけるアウターカラー２ａ、インナーカラー２ｂの材料としては、鉄、アルミニウムなどの金属あるいは樹脂を用いることができる。また、緩衝体２ｃとしては、ゴム、スポンジ等の樹脂以外にメッシュ状金属を積層しても同様の効果を得ることができる。
なお、本発明は、上記実施形態に限定されるものではなく、その要旨を逸脱しない範囲で適宜、変形、省略することが可能である。
【符号の説明】
【００１６】
１：インバータハウジング、    ２：防振装置、    ２ａ：アウターカラー、
２ｂ：インナーカラー、      ２ｃ：緩衝体、        ３：車両取付部、
４：固定ボルト、            ４ａ：つば部          ５：保護部材。
【図１】
2015227128.tif 000003
【図２】
2015227128.tif 000004
【図３】
2015227128.tif 000005
【図４】
2015227128.tif 000006
【図５】
2015227128.tif 000007